(57)【要約】【課題】  大規模なシステムを必要とせず、安価に、現在位置で、より良好に受信可能な放送チャンネルを選局できる放送受信装置を提供する。【解決手段】  デジタル放送受信装置１００は、チューナ１１、ＯＦＤＭ復調部１２、ＴＳ処理部１３から構成される放送受信部１０と、受信した放送チャンネルの受信履歴情報２０１，２０２を保存する履歴管理部１０２と、保存した放送受信履歴情報２０１，２０２から良好に受信できる放送チャンネルを選択し選局する選局制御部１０１とを備え、受信開始時に放送受信履歴情報２０１，２０２を基に良好に受信可能な放送チャンネルを選択し選局する。【選択図】  図１
2006121501.tif 000002
【特許請求の範囲】
【請求項１】
放送波を受信し復調する放送受信装置において、
放送波を受信する放送受信手段と、
受信した放送波の放送チャンネルの受信履歴情報を保存する履歴管理手段と、
保存された前記受信履歴情報に基づいて、良好に受信できる放送チャンネルを選択し選局する制御を行う選局制御手段と
を備えることを特徴とする放送受信装置。
【請求項２】
さらに、位置情報を取得する位置情報取得手段を備え、
前記履歴管理手段は、受信した位置と放送チャンネルの受信履歴情報を保存し、
前記選局制御手段は、保存された前記受信履歴情報に基づいて、現在位置で良好に受信できる放送チャンネルを選択し選局する制御を行うことを特徴とする請求項１記載の放送受信装置。
【請求項３】
さらに、受信した放送波の受信状態を測定する受信状態測定手段を備え、
前記履歴管理手段は、受信した位置と放送チャンネルと受信状態の受信履歴情報を保存し、
前記選局制御手段は、保存された前記受信履歴情報に基づいて、現在位置で受信状態が良かった放送チャンネルを選択し選局する制御を行うことを特徴とする請求項１又は２に記載の放送受信装置。
【請求項４】
前記位置情報取得手段は、携帯電話基地局からの電波を受信し位置情報を取得することを特徴とする請求項２又は３のいずれか１項に記載の放送受信装置。
【請求項５】
前記位置情報取得手段は、ＧＰＳにより位置情報を取得することを特徴とする請求項２乃至４のいずれか１項に記載の放送受信装置。
【請求項６】
前記受信状態測定手段は、ＢＥＲ、受信電力、ＣＮ比のいずれか、若しくはこれらの組合わせから受信状態を測定する請求項３に記載の放送受信装置。
【発明の詳細な説明】
【技術分野】
【０００１】
本発明は、地上デジタル放送などを受信可能な放送受信装置に関し、特に、携帯端末向け地上デジタル放送受信機などの放送受信装置の選局動作の改良に関する。
【背景技術】
【０００２】
現在、地上アナログ放送に代わる新しい地上デジタル放送への移行が進んでいる。この地上デジタル放送は２００３年に関東、近畿、東海の３大都市圏で開始され、２００６年には全国へ拡大させる計画である。これにともない、現行のアナログ放送も２０１１年には廃止される予定である。
【０００３】
この地上デジタル放送の技術規格ＩＳＤＢ−Ｔ（Integrated Services Digital Broadcasting-Terrestrial）では、変調方式に多数の搬送波（キャリア）を使うＯＦＤＭ（Orthogonal Frequency Division Multiplexing：直交周波数分割多重）が採用され、ビルによる反射など複数の伝播経路（マルチパス）によるゴースト妨害抑制が可能となっている。さらに、ＩＳＤＢ−Ｔでは１つの放送波チャンネル（帯域約５．６ＭＨｚ）を１３セグメント（１セグメント＝約４３０ｋＨｚ）に分割することが可能である。これによって、１つのチャンネルで１２セグメントから構成される固定受信機用のハイビジョン放送と１セグメントのみの携帯端末向け放送といったような放送サービスが可能となる。また、ＩＳＤＢ−Ｔは時間軸方向のインターリーブや強力な誤り訂正機能を採用しているため、ＰＤＡ（Personal Digital Assistants）や携帯電話などの携帯端末でも安定した受信が可能となる。
【０００４】
図９は、従来のデジタル放送受信装置の構成を示すブロック図である。
図９において、地上デジタル放送受信装置は、チューナ１１、ＯＦＤＭ復調部１２、ＴＳ処理部１３から構成される放送受信部１０と、放送電波を受信するアンテナ１４と、映像表示部１５と、音声出力用のスピーカ１６と、選局動作を行う選局部１７とを備えて構成される。アンテナ１４で受けた放送電波はチューナ１１にて所望の放送チャンネルに選局される。
【０００５】
図１０は、上記チューナ１１の構成の一例を示す図である。
図１０において、チューナ１１は、増幅部２１、ミキサ部２２、フィルタ部２３、及びＰＬＬ（Phase-Locked Loop）部２４を備えて構成される。
【０００６】
アンテナ１４で受信した放送電波は、増幅部２１で所定レベルに増幅された後、ミキサ部２２によりＰＬＬ部２４で設定された局部発振信号の周波数に応じたＩＦ（Intermediate Frequency：中間周波数）信号に変換され、フィルタ部２３で不要信号成分を除去し、再度増幅した後出力される。選局動作は、ＰＬＬ部２４の局部発振信号の周波数を所望の放送チャンネルの周波数に設定することで可能となる。選局部１７は使用者の操作によりこの選局動作を行うが、放送視聴を開始する時には、最後に選局した放送チャンネルを保持しておき、その放送チャンネルを再び選局する（これをラストチャンネル選局動作という）。
【０００７】
チューナ１１から出力されたＩＦ信号はＯＦＤＭ復調部１２でデジタル復調処理が行われる。
【０００８】
図１１は、ＯＦＤＭ復調部１２の構成の一例を示す図である。
図１１において、ＯＦＤＭ復調部１２は、Ａ／Ｄ変換部３１、直交復調部３２、位相補正部３３、ＦＦＴ（Fast Fourier Transform）部３４、フレーム同期部３５、検波部３６、周波数・時間デインターリーブ部３７、ビットデインターリーブ部３８、ビタビ復号部３９、バイトデインターリーブ部４０、エネルギ拡散部４１、及びＲＳ復号部４２を備えて構成される。
【０００９】
入力ＩＦ信号は、Ａ／Ｄ変換部３１によりＡ／Ｄ変換された後、直交復調部３２において直交検波されベースバンドシンボルに変換される。その後、位相補正部３３により伝送環境による位相のズレが補正され、ＦＦＴ（Fast Fourier Transform）部３４にて時間軸データから周波数軸データに変換するフーリエ変換処理で各サブキャリアのシンボルデータが復調される。その後フレーム同期部３５にて受信同期シンボルの検出等を行い、複数のシンボルから構成される伝送フレームの同期処理が実行される。その後、検波部３６においてパイロット信号等の遅延検波を行い、周波数・時間デインターリーブ部３７、ビットデインターリーブ部３８、ビタビ復号部３９、バイトデインターリーブ部４０、エネルギ拡散部４１、ＲＳ復号部４２にて、各種デインターリーブ処理と伝送中に生じた誤りの訂正処理が実行され、ＴＳ（Transport Stream）データとして出力される。ＯＦＤＭ復調部１２から出力されたＴＳデータは、図９のＴＳ処理部１３によりデマックス処理、デコード処理が実行され、映像データと音声データが出力される。映像データは映像表示部１５により表示され、音声データはスピーカ１６から出力される。
【００１０】
地上デジタル放送では、放送チャンネル毎にサービスエリアが定められており、地域によって受信できる放送チャンネル（放送チャンネルの周波数）が異なる。したがって、携帯端末型の放送受信装置などで長距離移動した後で受信しようとすると、その場所で放送されている放送チャンネルを検索し選局する必要がある。また、地域情報とサービスエリアの放送チャンネルの周波数との対応テーブルを備え、現在の位置情報から放送チャンネルの周波数を自動的に検索し選局する技術が開示されている（例えば、特許文献１参照）。
【００１１】
地上デジタル放送は、携帯端末での安定した受信が可能となることが大きな特長であるが、受信環境は様々であり、周囲が囲まれ電波電力（電界強度）が微弱な環境や、フェージング（電波電力の時間変動）が大きい場所では所定の電波受信が困難となり、たとえ放送のサービスエリア内であっても視聴することができない場合もある。従来のアナログ放送では受信状態が悪い場合でもノイズが入る映像を視聴することができるが、デジタル放送では受信状態が所定の条件を満足しなければ、ＯＦＤＭ復調処理や映像音声デコード処理ができなくなるため、映像を全く視聴することができない。この受信状態は放送チャンネル毎でも異なり、場所によって良好に受信視聴できる放送チャンネルとできない放送チャンネルが存在する。さらに、放送受信装置のアンテナやチューナの特性も様々であるため、受信装置で受信できる放送チャンネルが異なる場合がある。
【００１２】
ここで問題になるのは、受信しようとしている場所で、自身の放送受信装置がどの放送チャンネルを良好に受信できるかが判らないといった点である。受信開始時のラストチャンネル選局動作で選局された放送チャンネルでも、現在の場所で良好に受信できるかは不明であり、映像を全く視聴することができない可能性もある。特許文献１に記載の端末装置でも、現在位置がサービスエリアとなっている放送チャンネルは選択し選局することはできるが、その放送チャンネルが良好に受信できるかは不明である。
【００１３】
受信できなかった場合、放送チャンネルを変更して受信可否を確認していくことになるが、地上デジタル放送はＯＦＤＭ復調処理と映像デコード処理に一定時間必要なため、選局後約１秒程度映像表示まで時間を要する。したがって受信できるチャンネルを探す、すなわち放送チャンネルを変更する度に約１秒程度の時間がかかってしまう。携帯機器向け放送は移動中の空いた時間に短時間だけ放送を視聴することが多く、受信開始直ぐに良好に受信可能な放送チャンネルに選局することは解決すべき大きな課題といえる。
【００１４】
この問題に関し、移動・携帯受信端末の現在位置において受信可能な地上デジタル放送番組を示すＥＰＧ（Electronic Program Guide：電子番組表）を配信する地上デジタル放送選局システムが開示されている（例えば、特許文献２参照）。
【００１５】
上記特許文献２に記載の地上デジタル放送選局システムによると、通信局が位置情報を含む環境情報毎に受信可能な放送番組をデータベースから検索し、検索結果をＥＰＧ（電子番組表）として放送受信端末に電話回線などの通信経由で送る。放送受信端末は、受け取ったＥＰＧから、現在位置において受信可能な地上デジタル放送のチャンネルを選局可能としている。
【００１６】
【特許文献１】特開平８−１６２９０９号公報
【特許文献２】特開２００４−１０４４８２号公報
【発明の開示】
【発明が解決しようとする課題】
【００１７】
しかしながら、特許文献２に記載の装置では、通信局並びにデータベースを含む大規模なサービスシステムの構築が必要であり、そのシステムの構築には多額のコストが必要となる。さらに、上述したように放送受信装置のアンテナやチューナの特性により受信できる放送チャンネルが放送受信装置毎に異なるため、受け取ったＥＰＧで受信可能とされている放送チャンネルでも、使用している放送受信装置では受信できない場合も考えられる。
【００１８】
本発明は、このような課題に鑑みてなされたものであって、大規模なシステムを必要とせず、安価に、現在位置で、より良好に受信可能な放送チャンネルを選局できる放送受信装置を提供することを目的としている。
【課題を解決するための手段】
【００１９】
本発明の放送受信装置は、放送波を受信し復調する放送受信装置において、放送波を受信する放送受信手段と、受信した放送波の放送チャンネルの受信履歴情報を保存する履歴管理手段と、保存された前記受信履歴情報に基づいて、良好に受信できる放送チャンネルを選択し選局する制御を行う選局制御手段とを備えることを特徴としている。本構成により、過去に受信できた放送チャンネルの放送受信履歴情報から選局動作を行うため、確実に受信できる放送チャンネルを選局することが可能となる。
【００２０】
さらに、位置情報を取得する位置情報取得手段を備え、前記履歴管理手段は、受信した位置と放送チャンネルの受信履歴情報を保存し、前記選局制御手段は、保存された前記受信履歴情報に基づいて、現在位置で良好に受信できる放送チャンネルを選択し選局する制御を行うことで、現在位置で良好に受信できる放送チャンネルを容易に選局することが可能となる。
【００２１】
さらに、受信した放送波の受信状態を測定する受信状態測定手段を備え、前記履歴管理手段は、受信した位置と放送チャンネルと受信状態の受信履歴情報を保存し、前記選局制御手段は、保存された前記受信履歴情報に基づいて、現在位置で受信状態が良かった放送チャンネルを選択し選局する制御を行うことで、過去に最も良好に受信できた放送チャンネルを選局することが可能となる。
【００２２】
具体的な態様として、前記位置情報取得手段は、携帯電話基地局からの電波を受信し位置情報を取得するものであってもよく、前記位置情報取得手段は、ＧＰＳにより位置情報を取得するものであってもよい。
【００２３】
具体的な態様として、前記受信状態測定手段は、ＢＥＲ、受信電力、ＣＮ比のいずれか、若しくはこれらの組合わせから受信状態を測定する。
【発明の効果】
【００２４】
以上、詳述したように、本発明によれば、過去に受信できた放送チャンネルの放送受信履歴情報から選局動作を行うため、確実に受信できる放送チャンネルを容易に選局することができる。
【００２５】
また、位置情報を受信履歴情報に含めることにより、現在位置で受信できる放送チャンネルを容易に選局することが可能となる。さらに、受信状態を受信履歴情報に含めることにより、最も良好に受信できる放送チャンネルを選局することができる。
【発明を実施するための最良の形態】
【００２６】
以下、添付図面を参照しながら本発明の好適な放送受信装置の実施の形態について詳細に説明する。
【００２７】
第１の実施の形態
図１は、本発明の第１の実施の形態の放送受信装置の受信部の構成を示すブロック図である。本実施の形態に係る放送受信装置は、地上波、ＣＳ／ＢＳデジタル衛星放送を受信して表示部に出力するデジタル放送受信装置に適用した例である。図９と同一構成部分には同一符号を付している。
【００２８】
図１において、本実施の形態のデジタル放送受信装置１００は、チューナ１１、ＯＦＤＭ復調部１２、ＴＳ処理部１３から構成される放送受信部１０（放送受信手段）と、放送電波を受信するアンテナ１４と、液晶ディスプレイに代表される映像表示部１５と、音声を出力するスピーカ１６と、保存された受信履歴情報から良好に受信できる放送チャンネルを選択し選局する選局制御部１０１（選局制御手段）と、受信した放送チャンネルの受信履歴情報を保存する履歴管理部１０２（履歴管理手段）とを備えて構成される。
【００２９】
アンテナ１４で受けた放送電波はチューナ１１により所望の放送チャンネルに選局される。この選局動作は選局制御部１０１の選局制御により行われる。チューナ１１から出力されたＩＦ信号は、ＯＦＤＭ復調部１２でデジタル復調処理が行われＴＳデータとして出力される。ＯＦＤＭ復調部１２から出力されたＴＳデータは、ＴＳ処理部１３においてデマックス処理、デコード処理が実行されて映像データと音声データが出力される。映像データは映像表示部１５で表示され、音声データはスピーカ１６から出力される。ここで、放送受信部１０は、選局した放送チャンネルを受信できたか否かに関する情報を、受信可否情報として履歴管理部１０２に送出する。
【００３０】
履歴管理部１０２は、選局制御部１０１から得られる選局情報と、放送受信部１０から得られる受信可否情報を放送受信履歴情報として保存する。
【００３１】
図２は、上記放送受信履歴情報の一例を示す図である。
図２において、２０１は放送受信履歴情報であり、放送受信履歴情報２０１は受信したチャンネルの周波数と受信可否情報とから構成される。この放送受信履歴情報２０１は、使用者がチャンネル変更を行う度に追加される。また、２０２は上記放送受信履歴情報２０１を基に作成されたチャンネルの周波数と受信成功率からなる放送受信履歴情報である。
【００３２】
以下、上述のように構成されたデジタル放送受信装置１００の選局動作について説明する。
【００３３】
図３は、デジタル放送受信装置１００の選局動作を説明するフローチャートであり、図中Ｓはフローのステップを示す。
【００３４】
まず、ステップＳ１で放送受信開始時に選局制御部１０１は、受信履歴情報を基に最も良好に受信可能な放送チャンネルを選択する。すなわち、放送受信履歴情報から放送チャンネル毎の受信成功率を算出し、受信成功率が最も高いチャンネル周波数を選局する。図２の放送受信履歴情報２０１を例に採り具体的に説明すると、放送チャンネル４５８ＭＨｚは選局回数５回の内、受信ＯＫが３回、受信ＮＧが２回なので受信成功率は３／５＝６０％と算出される。なお、受信成功率算出の際に、受信地域がサービスエリアとなっている放送チャンネルのみを算出し、その中で最も受信成功率が高いチャンネル周波数を選局することも可能である。また、放送受信履歴情報を追加する度に受信成功率の算出を行い、図２の放送受信履歴情報２０２に示すように、放送チャンネル毎の受信成功率テーブルから受信成功率が最も高いチャンネル周波数を予め判定しておくことも可能である。
【００３５】
次いで、ステップＳ２で選択された放送チャンネルの選局動作を行い、放送視聴を開始する。ステップＳ３でチャンネル変更があるかチェックし、使用者からチャンネル変更の要求を待つ。チャンネル変更の要求がなければそのまま放送受信を続行する。
【００３６】
チャンネル変更の要求があれば、ステップＳ４で指定された放送チャンネルへ選局変更を行い、ステップＳ５でその放送チャンネルの放送受信履歴情報を受信履歴管理部１０２に追加して上記ステップＳ３に戻り、使用者がチャンネル変更をするまで受信を継続する。
【００３７】
以上のように、本実施の形態のデジタル放送受信装置１００は、チューナ１１、ＯＦＤＭ復調部１２、ＴＳ処理部１３から構成される放送受信部１０と、受信した放送チャンネルの受信履歴情報２０１，２０２を保存する履歴管理部１０２と、保存した放送受信履歴情報２０１，２０２から良好に受信できる放送チャンネルを選択し選局する選局制御部１０１とを備え、受信開始時に放送受信履歴情報２０１，２０２を基に良好に受信可能な放送チャンネルを選択し選局しているので、過去に受信できた放送チャンネルの放送受信履歴情報から選局動作を行うため、確実に受信できる放送チャンネルを選局することができる。
【００３８】
第２の実施の形態
図４は、本発明の第２の実施の形態の放送受信装置の受信部の構成を示すブロック図である。図１と同一構成部分には同一符号を付して重複箇所の説明を省略する。
【００３９】
図４において、本実施の形態のデジタル放送受信装置１１０は、図１のデジタル放送受信装置１００に、さらに現在位置の情報を取得する位置情報取得部１０３（位置情報取得手段）が追加されて構成される。
【００４０】
位置情報取得部１０３は、図示しないＧＰＳ（Global Positioning System）衛星からの電波を受信し、現在位置の緯度、経度などの位置情報を検出する。検出された位置情報は選局制御部１０１または、履歴管理部１０２に出力される。なお、ＧＰＳから位置情報を取得する以外に、例えば携帯電話の通信機能を備え、通信電話基地局から送られるエリア識別信号から位置情報を取得する位置情報取得部１０３も可能である。
【００４１】
図５は、上記履歴管理部１０２が保存する放送受信履歴情報２０３の一例を示す図である。
【００４２】
図５において、放送受信履歴情報２０３は、図２の放送受信履歴情報２０１とは、チャンネル周波数、受信可否の情報に加えて、受信位置情報が追加されている点が異なる。この受信位置情報は使用者が放送チャンネルを変更する度に位置情報取得部１０３から取得する情報であり、図５では緯度と経度の情報を保存している。この放送受信履歴情報により、どの場所でどのチャンネルが受信できたかといった情報を管理することが可能となる。
【００４３】
以下、上述のように構成されたデジタル放送受信装置１１０の選局動作について説明する。
【００４４】
図６は、デジタル放送受信装置１１０の選局動作を説明するフローチャートである。
まず、ステップＳ１１で放送受信開始時に選局制御部１０１は位置情報取得部１０３から現在位置情報を取得する。次いで、ステップＳ１２で放送受信履歴情報２０３を参照し、現在位置で最も良好に受信できた放送チャンネルを選択する。具体的には、上記ステップＳ１１で取得した現在位置情報からの距離を各放送受信履歴情報で算出し、算出された距離が所定範囲内のみの放送受信履歴情報を抽出する。すなわち、現在位置と近い場所で受信した放送受信履歴情報を抽出する。
【００４５】
抽出した放送受信履歴情報から第１の実施の形態で説明した放送チャンネル毎の受信成功率（図２の放送受信履歴情報２０２参照）を算出し、受信成功率が最も良いチャンネル周波数を選局する。
【００４６】
次いで、ステップＳ１２で選択された放送チャンネルを選局し、ステップＳ１３で放送視聴を開始する。ステップＳ１４でチャンネル変更があるかチェックし、使用者からチャンネル変更の要求を待つ。チャンネル変更の要求が無ければそのまま放送受信を続行する。
【００４７】
チャンネル変更の要求があれば、ステップＳ１５で指定された放送チャンネルに選局変更を行い、ステップＳ１６で位置情報取得部１０３から選局変更時の位置情報を取得する。次いで、ステップＳ１７でこの位置情報と選局変更した放送チャンネルの放送受信履歴情報を受信履歴管理部１０２に追加して上記ステップＳ１４に戻り、使用者がチャンネル変更をするまで受信を継続する。
【００４８】
以上のように、本実施の形態のデジタル放送受信装置１１０は、さらに、位置情報を取得する位置情報取得部１０３を備え、履歴管理部１０２は、受信した位置と放送チャンネルの放送受信履歴情報２０３を保存し、選局制御部１０１は、保存された放送受信履歴情報２０３から現在位置で良好に受信できる放送チャンネルを選択し選局するので、受信開始時に現在の位置で良好に受信可能な放送チャンネルを選択し選局することができる。
【００４９】
第３の実施の形態
図７は、本発明の第３の実施の形態の放送受信装置の受信部の構成を示すブロック図である。図４と同一構成部分には同一符号を付して重複箇所の説明を省略する。
【００５０】
図７において、本実施の形態のデジタル放送受信装置１２０は、図４のデジタル放送受信装置１１０に、さらに選局された放送チャンネルの受信状態を測定する受信状態測定部１０４（受信状態測定手段）が追加されて構成される。
【００５１】
受信状態測定部１０４は、図１１に示したＯＦＤＭ復調部１２のデジタル復調処理の誤り訂正処理部であるＲＳ復号部４２にてカウントした受信エラーデータ数から受信データの誤り率を算出することで受信状態を測定する。具体的には、ＲＳ復号部４２で誤り訂正処理を行ったデータビット数と受信総データビット数との割合であるＢＥＲ（Bit Error Rate：誤り率）を算出する。ＢＥＲは受信状態を測定するパラメータとして良く用いられる指標であり、一般的にＢＥＲが２×１０E-４以下ならばエラーフリーで受信可能とされている。なお、受信状態を測定するパラメータとして、ＢＥＲ以外にＯＦＤＭ復調部１２のデジタル復調処理を示した図１１中の検波部３６において、受信データに定期的に付加されている制御信号である例えばパイロット信号等の遅延検波を行い、その分散値から受信チャンネルのＣＮ（Carrier to Noise：搬送波対雑音電力）比を算出して用いることも可能である。また、チューナ１１の構成を示した図１０中の増幅器２１のゲイン設定から受信した放送電波の受信電力レベルを算出して用いることも可能である。
【００５２】
図８は、デジタル放送受信装置１２０の履歴管理部１０２が保存する放送受信履歴情報の一例を示す図である。
【００５３】
図８において、放送受信履歴情報２０４は、図５の放送受信履歴情報２０３とは、チャンネル周波数、受信可否情報、受信位置情報に加えて、受信状態が追加されている点が異なる。受信状態は使用者が放送チャンネルを変更する度に、受信状態測定部１０４から取得したＢＥＲの値である。
【００５４】
以下、上述のように構成されたデジタル放送受信装置１２０の選局動作について説明する。
【００５５】
動作フローとしては、第２の実施の形態と同じであるため図６を用い、第２の実施の形態と異なる動作となるステップ１２とステップ１７の処理動作について説明する。
【００５６】
図６のステップ１２において、放送受信履歴情報を参照し、現在位置で最も良好に受信できた放送チャンネルを選択する。具体的には、ステップＳ１１で取得した現在位置情報からの距離を履歴情報それぞれで算出し、算出された距離が所定範囲内のみの履歴情報を抽出する。すなわち、現在位置と近い場所で受信した履歴情報を抽出する。その後、第２の実施の形態とは異なり抽出した履歴情報の各チャンネルの受信状態、すなわちＢＥＲの平均値を算出し、算出されたＢＥＲの平均値が最も良い放送チャンネルを選局する。なお、ＢＥＲの平均値から判定する以外に、最良のＢＥＲを持つ放送チャンネルを選択するなどの変更も可能である。ステップＳ１７では、実施の形態２と同じ位置情報と受信選局変更した放送チャンネルの受信可否に加え、受信状態（ＢＥＲ）も受信履歴管理部１０２に追加する。
【００５７】
以上のように、本実施の形態のデジタル放送受信装置１２０は、さらに、受信した放送波の受信状態を測定する受信状態測定部１０４を備え、履歴管理部１０２は、受信した位置と放送チャンネルと受信状態の放送受信履歴情報を保存し、選局制御部１０１は、保存された放送受信履歴情報から現在位置で受信状態が良かった（例えば、ＢＥＲ値が良い）放送チャンネルを選択し選局するので、最も良好に受信できる放送チャンネルを選択することができる。
【００５８】
なお、上記各実施の形態に係るデジタル放送受信装置は、テレビジョン受信機は勿論のこと、携帯端末向け地上デジタル放送を受信可能な受信装置やテレビジョン受信機以外の電子機器、例えば放送波を受信表示可能なパーソナルコンピュータや携帯電話のデジタル放送受信装置に適用可能である。
【００５９】
また、図２、図５及び図８の放送受信履歴情報は代表例を挙げたものであり、どのような保存形態でも構わない。
【００６０】
また、上記各実施の形態では放送受信装置という名称を用いたが、これは説明の便宜上であり、テレビジョン受信機、携帯型端末等であってもよいことは勿論である。
【００６１】
さらに、上記放送受信装置を構成する各回路部、例えば履歴管理部等の種類、数及び接続方法などは前述した各実施の形態に限られない。
【図面の簡単な説明】
【００６２】
【図１】本発明の第１の実施の形態の放送受信装置の受信部の構成を示すブロック図である。
【図２】本実施の形態の放送受信装置の放送受信履歴情報の一例を示す図である。
【図３】本実施の形態の放送受信装置の選局動作を説明するフローチャートである。
【図４】本発明の第２の実施の形態の放送受信装置の受信部の構成を示すブロック図である。
【図５】本実施の形態の放送受信装置の放送受信履歴情報の一例を示す図である。
【図６】本実施の形態の放送受信装置の選局動作を説明するフローチャートである。
【図７】本発明の第３の実施の形態の放送受信装置の受信部の構成を示すブロック図である。
【図８】本実施の形態の放送受信装置の放送受信履歴情報の一例を示す図である。
【図９】従来のデジタル放送受信装置の受信部の構成を示すブロック図である。
【図１０】従来のデジタル放送受信装置のチューナの構成の一例を示す図である。
【図１１】従来のデジタル放送受信装置のＯＦＤＭ復調部の構成の一例を示す図である。
【符号の説明】
【００６３】
１０  放送受信部（放送受信手段）
１１  チューナ
１２  ＯＦＤＭ復調部
１３  ＴＳ処理部
１４  アンテナ部
１５  映像表示部
１６  スピーカ
１７  選局制御部
１８  履歴管理部
２１  増幅部
２２  ミキサ部
２３  フィルタ部
２４  ＰＬＬ部
３１  Ａ／Ｄ変換部
３２  直交復調部
３３  位相補正部
３４  ＦＦＴ部
３５  フレーム同期部
３６  検波部
３７  周波数・時間デインターリーブ部
３８  ビットデインターリーブ部
３９  ビタビ復号部
４０  バイトデインターリーブ部
４１  エネルギ拡散部
４２  ＲＳ復号部
１００，１１０，１２０  デジタル放送受信装置
１０１  選局制御部（選局制御手段）
１０２  履歴管理部（履歴管理手段）
１０３  位置情報取得部（位置情報取得手段）
１０４  受信状態測定部（受信状態測定手段）
【図１】
2006121501.tif 000003
【図２】
2006121501.tif 000004
【図３】
2006121501.tif 000005
【図４】
2006121501.tif 000006
【図５】
2006121501.tif 000007
【図６】
2006121501.tif 000008
【図７】
2006121501.tif 000009
【図８】
2006121501.tif 000010
【図９】
2006121501.tif 000011
【図１０】
2006121501.tif 000012
【図１１】
2006121501.tif 000013